(57)【要約】【課題】回転規制・クリック機構を同時に満たした簡単な構造で水栓パネルに支持管を装着できる回転保持機構を提供することを目的とする。【解決手段】シャワーホースを挿通できる筒状の水栓を壁面又は洗面器に取付けたパネルに固定する構造において、該パネルに設けた水栓取付孔に挿通され該パネル裏面後方に突出する部位が略半円筒状であり、該略半円筒状の外全周部に凹部が設けられ、該凹部下面とパネル裏面が略同一平面上に取付けられる挿通部を有した水栓であって、該パネルの裏側から水栓取付孔周縁に密着して該水栓の挿通部に設けられた凹部に、略該凹部径の略円弧状の固定具を嵌合するとともに該固定具を該パネル裏面に固定させて、該水栓を垂直方向に保持し、且つ回転可能とした。【選択図】  図１
2004257170.tif 000002
【特許請求の範囲】
【請求項１】
シャワーホースを挿通できる筒状の水栓を壁面又は洗面器に取付けたパネルに固定する構造において、該パネルに設けた水栓取付孔に挿通され該パネル裏面後方に突出する部位が略半円筒状であり、該略半円筒状の外全周部に凹部が設けられ、該凹部下面とパネル裏面が略同一平面上に取付けられる挿通部を有した水栓であって、該パネルの裏側から水栓取付孔周縁に密着して該水栓の挿通部に設けられた凹部に、略該凹部径の略円弧状の固定具を嵌合するとともに該固定具を該パネル裏面に固定させて、該水栓を垂直方向に保持し、且つ回転可能としたことを特徴とする水栓の回転取付構造。
【請求項２】
前記水栓の略半円筒状の外周方向に突起部を設け、該突起部をパネルの水栓取付孔周縁裏面に設けた突起部と当接させて該水栓の回転を規制することを特徴とする請求項１に記載の水栓の回転取付構造。
【請求項３】
前記水栓と嵌合された該固定具の略円弧状の内周方向に突起部を設け、該水栓の略半円筒状の端部と当接させて該水栓の回転を規制することを特徴とする請求項１または請求項２に記載の水栓の回転取付構造。
【請求項４】
前記水栓の略半円筒状の外周面に半円状の凹部を等間隔に複数個設け、該水栓が回転した時に該水栓の略半円筒状の外周面と該半円状の凹部に当接できる板ばね装着部を設けた固定具を該水栓の略半円筒状の凹部に嵌合させることにより、該水栓回転時にクリック感覚を有することを特徴とする請求項１から請求項３のいずれかに記載の水栓の回転取付構造。
【請求項５】
前記水栓の略半円筒状の上面に板ばね装着部を設け、該水栓の略半円筒状の凹部に嵌合された固定具の外周面に半円状の凹部を複数個設け、該水栓が回転した時に該板ばね装着部と該固定具の凹部を当接させて、該水栓回転時にクリック感覚を有することを特徴とする請求項１から請求項３のいずれかに記載の水栓の回転取付構造。
【発明の詳細な説明】
【０００１】
【発明の属する技術分野】
本発明は、台所、洗面台及び多目的な洗い場などに設置する水栓金具の回転取付構造に関するものである。
【０００２】
【従来の技術】
従来の水栓の一種として、先端に吐水具を接続したホースを内蔵する水栓がある。このホースは水栓本体から引き出すことができ、また水栓本体が上下方向に移動可能な構造を有した水栓であり、洗面器設置部の上面に構成されるカウンターの平坦部や傾斜部に設置されるのが一般的である。
例えばその取付構造は、雄ねじ部を有した水栓本体を取付け面に設けた穴に挿通して、取付け面の裏側から固定ナットで該雄ねじ部に螺着して取付けるものであった。このような取付構造では、水栓本体と取付け面を完全固定することになり、水栓本体を取付け面に対して回転させることができない為、水栓の吐水位置を回転して変えるような場合には、回転機構部を水栓本体に別途設ける必要があり、水栓本体のサイズが大きくなるという問題があり、又意匠的にも水栓本体部と回転部に継ぎ目が見えて好ましくない。（例えば、特許文献１参照。）
【０００３】
【特許文献１】
特開２０００−２６５５０７号公報
【０００４】
【発明が解決しようとする課題】
本発明が解決しようとする課題は、台所、洗面台、及び多目的な洗い場などに取付けたパネルに水栓を取付ける場合に、水栓を取付け面に取付ける機構を水栓が回転可能な構造で同時に水栓をパネルに保持する機構とし、さらに水栓の回転規制をすることができる保持機構であって、組立て作業を容易、迅速にできることを提供することにある。
【０００５】
【課題を解決するための手段】
第１の発明では、シャワーホースを挿通できる筒状の水栓を壁面又は洗面器に取付けたパネルに固定する構造において、該パネルに設けた水栓取付孔に挿通され該パネル裏面後方に突出する部位が略半円筒状であり、該略半円筒状の外全周部に凹部が設けられ、該凹部下面とパネル裏面が略同一平面上に取付けられる挿通部を有した水栓であって、該パネルの裏側から水栓取付孔周縁に密着して該水栓の挿通部に設けられた凹部に、略該凹部径の略半環状の固定具を嵌合するとともに該固定具を該パネル裏面に固定させて、該水栓を垂直方向に保持し、且つ回転可能としたことを特徴とする。
【０００６】
本発明によれば、一部材でパネルに水栓を保持して且つ水栓がパネルに対して回転可能な構造となるため、パネルと水栓の接合部が同時に水栓の回転基面となり、わざわざ回転機構部を水栓本体に設ける必要がないため、水栓本体をコンパクトにでき、意匠的にも継ぎ目の無いすっきりした水栓本体とすることができる。また、パネルへの水栓の取付、組立て作業を容易、且つ迅速に行うことができる。
【０００７】
第２の発明では、前記水栓の略半円筒状の外周方向に突起部を設け、該突起部をパネルの水栓取付孔周縁裏面に設けた突起部と当接させて該水栓の回転を規制することを特徴とする。
【０００８】
本発明によれば、水栓の過回転による洗面器外への水の飛出しを防止できる。
【０００９】
第３の発明では、前記水栓と嵌合された該固定具の略半環状の内周方向に突起部を設け、該水栓の略半円筒状の端部と当接させて該水栓の回転を規制することを特徴とする。
【００１０】
本発明によれば、水栓の過回転による洗面器外への水の飛出しを防止できる。
【００１１】
第４の発明では、前記水栓の略半円筒状の外周面に半円状の凹部を等間隔に複数個設け、該水栓が回転した時に該水栓の略半円筒状の外周面と該半円状の凹部に常時当接する板ばね装着部を設けた固定具として、該水栓回転時にクリック感覚を有することを特徴とする。
【００１２】
本発明によれば、水栓を回転させる際の良好な操作感覚を得ることができ、回転途中の位置決めもし易くなる。
【００１３】
第５の発明では、前記水栓の略半円筒状の上面に板ばね装着部を設け、該水栓の略半円筒状の凹部に嵌合された固定具の外周面に半円状の凹部を等間隔に複数個設け、該水栓が回転した時に該板ばね装着部と該固定具の凹部を当接させて、該水栓回転時にクリック感覚を有することを特徴とする。
【００１４】
本発明によれば、第４の発明の実施形態の代替手段であり、水栓を回転させる際の良好な操作感覚を得ることができ、回転途中の位置決めもし易くなる。
【００１５】
【発明の実施の形態】
以下に図面を参照して本発明をより具体的に説明する。
図１は本発明にかかわる水栓金具の全体外観図であり、図２は図１におけるＡ−Ａ部分断面図である。
水栓金具２１は吐水具２２を支持する支持管２３と、該支持管２３を水栓パネル２４の水栓挿通孔に保持する固定具２５と、さらに水封を目的としたパッキン２６から構成される。
給水側に接続されたホース２７が、支持管２３の内部空洞を通り、その先端に吐水具２２が接続されている。
吐水具２２は支持管２３に対して着脱可能であり、ホース２７を介して支持管２３から引き出して使用することができる。
【００１６】
次に支持管２３の水栓パネル２４への取付け方法を説明する。
図３に示すように支持管２３は、水栓パネル２４の水栓挿通孔よりも大きな形状を有した根元部３１と該挿通孔の隙間をシールするＯリング装着部３４と、該装着部３４の上方に半円筒形状で水栓挿通孔よりも小さな径の凹部３２を有した突起部３５を設けている。なお、図３の（Ｂ）は図３の（Ａ）におけるＢ−Ｂ部分断面図である。半円筒形状とするのは、図２及び図１１に示すように支持管２３が水栓パネル２４の傾斜面に取付けられた場合、半円筒形状部以外の領域でホースが容易に摺動し易いような通路を確保する為である。
【００１７】
支持管２３を水栓パネル２４の水栓挿通孔に表側から挿入していくと、図３に示すように支持管２３の根元部３１が水栓パネル２４に当接する。これが支持管２３の挿入方向の位置決めとなる。この時、支持管２３の凹部３２の下端面３２ａと水栓パネル２４の裏面２４ａが概ね面一となり、Ｏリング装着部３４が水栓挿通孔内にくるように設定されている。この状態において、支持管２３の凹部３２に図４に示すような円弧状の固定具２５を水栓パネル２４の裏側から嵌め込むことにより、支持管２３が水栓パネル２４へ保持される。もちろん、支持管２３が水栓パネル２４に保持される為には、固定具２５は支持管２３の凹部３２に概ね当接する円弧内径を有し、且つ円弧外径は水栓挿通孔よりも大きな径であることが必要である。固定具２５との引っ掛かり代となる支持管２３の凹部代は少なくとも１ｍｍ以上となることが望ましい。
【００１８】
この固定具２５の嵌め込み方法としては固定具２５を両開きにして挟み込むものである。例えば、図４に示すように固定具２５の回転支点部４２をポリアセタール等の樹脂で弾性変形可能な円弧形状とし、図６に示すように回転支点部４２を中心として左右に開いた状態で水栓パネル２４裏面に設けた突起部３３と支持管２３の凹部３２の間に挟み込むように外周上方向から該凹部３２に沿わせるように当接させる。その後に水栓パネル２４と固定具２５を固定する。この固定方法は、固定具２５の円弧端部を鍵形状４１にしてこれと嵌合可能な形状をした突起５１に係止めさせればよい。このように固定具２５を水栓パネル２４に固定し、且つ支持管２３が自由に回転可能な状態で支持管２３の凹部３２に介在させることで、支持管２３の保持・回転が可能な構造をとることができる。
【００１９】
また、点検、修理等で支持管２５を水栓パネル２４から取外す場合は、鍵形状４１の反対側に設けたレバー部４３を固定具２５の円弧中心方向に押せばよい。その反作用で鍵形状部４１が反対の半径外方向へ押しだされ突起５１への引っ掛かりが外れて支持管２５の取外しが可能となる。
【００２０】
このような係止め構造は、工具を使わずに水栓パネル２４に支持管２３を固定することができるので、組立て作業を容易かつ迅速に行うことができる。また、鍵形状以外の係止め方法を図７に示す。水栓パネル７１にボス７２を設け、固定具７３にねじ固定用穴部７４を設け、これを該ボス７２にねじで固定するものである。
【００２１】
基本的な保持・回転機構は以上であるが、付加機能として図６に示すように、固定具２５に板ばね装着部４４を設けて支持管回転時のクリック機能をもたせることもできる。該板ばね装着部４４に板ばね４５を設置し、支持管２３の凹部３２に数個設けた半円状の凹部６１と該板ばね４５を当接させることで支持管２３の回転の際に板ばね４５の弾性力で凸凹形状を通過してクリック感を得ることができる。逆に、図８、図９に示すように支持管８１に板ばねの装着部８２を設け、凸凹形状を固定具９１の円弧形状外周部９２に設けても同様にクリック感を得ることができる。
【００２２】
図１０に支持管８１が０度、９０度位置での状態を示す。支持管８１には水栓挿通孔よりも大きくなるような突起部８３を半円筒形状の端部に設け、該支持管８１と嵌合させる固定具９１には、図９に示すように円弧中心側へ突き出した突起部９３を設ける。該支持管８１と該固定具９１を上記方法で組み合わせた場合、支持管８１を０度位置から９０度方向に回転させると支持管８１の突起部端面８３ａと固定具９１の突起部９３とが当接して９０度位置で回転を止めることができる。
【００２３】
支持管８１を水栓挿通孔に挿入する際に、該支持管８１の突起部８３は水栓挿通孔よりも大きいので、そのまま水栓取付軸と支持管８１の取付軸と平行に挿入すると物理的に突起部８３が引っかかり挿入できない。そこで、図１２に示すように支持管８１の挿通部形状を半円筒状としている。水栓取付軸と傾けて挿入することで水栓挿通孔よりも一部大きな突起部があっても挿入可能となる。
【００２４】
また、支持管８１を９０度位置から０度方向に回転させると、支持管８１の突起部８３が水栓パネル２４の突起部３３と当接して０度の位置で回転を止めることができる。
【００２５】
最後に、図１０に示しているカバー１０１については、吐水具２２を引き出してホース２７を摺動させる場合に、ホース２７が支持管８１や水栓パネル２４と接触して摩擦を生じる場合に用いるとよい。支持管８１や水栓パネル２４の材料としてはＡＢＳ樹脂が多く用いられ耐摩耗性に劣る。従って耐摩耗性に優れた材料、例えばポリアセタールで作られたカバー１０１を摩擦箇所に使用すれば摩擦による部品の劣化を軽減でき、更に部品段差等によりホース２７がうまく摺動できない場合のガイド役としても効果が期待できる。該カバー１０１は、固定具７３のねじ固定用穴７４と一緒に水栓パネルのボス７２にねじ止めすることができる。
【００２６】
【発明の効果】
本発明では、上記構成をとることにより、以下に示す効果を奏する
第１の発明では、シャワーホースを挿通できる筒状の水栓を壁面又は洗面器に取付けたパネルに固定する構造において、該パネルに設けた水栓取付孔に挿通され該パネル裏面後方に突出する部位が略半円筒状であり、該略半円筒状の外全周部に凹部が設けられ、該凹部下面とパネル裏面が略同一平面上に取付けられる挿通部を有した水栓であって、該パネルの裏側から水栓取付孔周縁に密着して該水栓の挿通部に設けられた凹部に、略該凹部径の略半環状の固定具を嵌合するとともに該固定具を該パネル裏面に固定させて、該水栓を垂直方向に保持し、且つ回転可能としたことを特徴とする。
これにより、一部材でパネルに水栓を保持して且つ水栓がパネルに対して回転可能な構造となるため、パネルと水栓の接合部が同時に水栓の回転基面となり、わざわざ回転機構部を水栓本体に設ける必要がないため、水栓本体をコンパクトにでき、意匠的にも継ぎ目の無いすっきりした水栓本体とすることができる。また、パネルへの水栓の取付、組立て作業を容易、且つ迅速に行うことができる。
第２の発明では、前記水栓の略半円筒状の外周方向に突起部を設け、該突起部をパネルの水栓取付孔周縁裏面に設けた突起部と当接させて該水栓の回転を規制することを特徴とする。
これにより、水栓の過回転による洗面器外への水の飛出しを防止できる。
第３の発明では、前記水栓と嵌合された該固定具の略半環状の内周方向に突起部を設け、該水栓の略半円筒状の端部と当接させて該水栓の回転を規制することを特徴とする。
これにより、水栓の過回転による洗面器外への水の飛出しを防止できる。
第４の発明では、前記水栓の略半円筒状の外周面に半円状の凹部を等間隔に複数個設け、該水栓が回転した時に該水栓の略半円筒状の外周面と該半円状の凹部に常時当接する板ばね装着部を設けた固定具として、該水栓回転時にクリック感覚を有することを特徴とする。
これにより、水栓を回転させる際の良好な操作感覚を得ることができ、回転途中の位置決めもし易くなる。
第５の発明では、前記水栓の略半円筒状の上面に板ばね装着部を設け、該水栓の略半円筒状の凹部に嵌合された固定具の外周面に半円状の凹部を等間隔に複数個設け、該水栓が回転した時に該板ばね装着部と該固定具の凹部を当接させて、該水栓回転時にクリック感覚を有することを特徴とする。
これにより、第４の発明の実施形態の代替手段であり、水栓を回転させる際の良好な操作感覚を得ることができ、回転途中の位置決めもし易くなる。
【図面の簡単な説明】
【図１】本件発明の一実施の形態である水栓の外観図を示す。
【図２】本件発明の一実施の形態である図１におけるＡ−Ａ部分断面図を示す。
【図３】本件発明の一実施の形態である支持管と水栓パネルの断面を示す。
【図４】本件発明の一実施の形態である固定具の上面図を示す。
【図５】本件発明における一実施の形態である図３における水栓パネルのＰ視を示す。
【図６】本件発明における一実施の形態である固定具の取付け方法を示す。
【図７】本件発明における別の一実施の形態である固定具の取付方法を示す。
【図８】本件発明における別の一実施の形態である支持管の上面図を示す。
【図９】本件発明における別の一実施の形態である固定具の上面図を示す。
【図１０】本件発明における一実施の形態である支持管の回転状態を示す。
【図１１】本件発明における図１０の斜視図を示す。
【図１２】本件発明における支持管の斜視図を示す。
【符号の説明】
２１：水栓金具
２２：吐水具
２３：支持管
２４：水栓パネル
２４ａ：裏面
２５：固定具
２７：ホース
３２：凹部
３２ａ：下端面
３３：突起部
３４：Ｏリング装着部
３５：突起部
４１：鍵形状部
４２：回転支点部
４３：レバー部
４４：板ばね装着部
４５：板ばね
５１：突起
６１：凹部
７１：水栓パネル
７２：ボス
７３：固定具
７４：ねじ固定用穴部
８１：支持管
８２：板ばねの装着部
８３：突起部
８３ａ：突起部端面
９１：固定具
９２：円弧形状外周部
９３：突起部
１０１：カバー
【図１】
2004257170.tif 000003
【図２】
2004257170.tif 000004
【図３】
2004257170.tif 000005
【図４】
2004257170.tif 000006
【図５】
2004257170.tif 000007
【図６】
2004257170.tif 000008
【図７】
2004257170.tif 000009
【図８】
2004257170.tif 000010
【図９】
2004257170.tif 000011
【図１０】
2004257170.tif 000012
【図１１】
2004257170.tif 000013
【図１２】
2004257170.tif 000014